(57)【特許請求の範囲】
【請求項１】
消火手段や火災検出手段等を配設した防護区画を直接監視できる近傍位置に配設された現地操作盤と、防災センター等の一括管理施設に配設された消火システム制御盤とが、火災や消火に関する各種操作部と、火災発生時、消火手段作動時および前記操作部の操作時に点灯または点滅する表示部とを、盤面上に備えた消火システムの制御装置において、
自動放水モード又は手動放水モードを選択する放水モード選択部を前記操作部に有する前記消火システム制御盤、または、自動放水モードから手動放水モードへ移行できるように盤面操作を可能とする盤面操作可否選択部を前記操作部に有する前記現地操作盤の少なくともいずれか一方を備え、その操作部を火災発生時から消火手段作動時までの流れに沿って盤面上を略一方向に配置し、
前記放水モード選択部または前記盤面操作可否選択部から前記手動放水モードの流れと前記自動放水モードの流れとに分岐する表示を含み、前記手動放水モードの流れは放水区画を選択する区画選択部と放水を開始させる放水開始スイッチとを介して、また、前記自動放水モードの流れは前記区画選択部と前記放水開始スイッチとを介さず、それぞれ放水時に点灯する放水中灯へ至るように、前記操作部同士を操作の順番を示す矢印部で結んで表示する
ことを特徴とする消火システムの制御装置。
【請求項２】
消火手段や火災検出手段等を配設した防護区画を直接監視できる近傍位置に配設された現地操作盤と、防災センター等の一括管理施設に配設された消火システム制御盤とが、火災時に点灯する火災灯と、放水時に点灯する放水中灯と、放水モードを選択するまたは選択された放水モードを表示する放水モード選択部と、放水区画を選択する区画選択部と、放水を停止させる放水停止スイッチとを、盤面上に備えた消火システムの制御装置において、
自動放水モード又は手動放水モードを選択する放水モード選択部を有する前記操作部を有する前記消火システム制御盤、または、自動放水モードから手動放水モードへ移行できるように盤面操作を可能とする盤面操作可否選択部を有する前記現地操作盤のいずれかを備え、
前記現地操作盤または前記消火システム制御盤は、前記火災灯、前記放水中灯、前記放水モード選択部または前記盤面操作可否選択部、前記区画選択部、前記放水停止スイッチのいずれかの間に、表示または操作の順番を示す矢印部を表示し、該矢印部は、前記放水モード選択部または前記盤面操作可否選択部から、自動放水モードの経路と手動放水モードの経路に分岐して前記放水中灯に至る異なる経路に分岐する矢印部を含むことを特徴とする消火システムの制御装置。
【請求項３】
前記現地操作盤は、通常は盤面操作不可に設定されて火災発生時には自動的に盤面操作可能が選択されるとともに、盤面操作不可時に専用鍵を使用して前記盤面操作可否選択部を操作すると盤面操作が可能となるように制御され、
前記盤面操作可否選択手段の側方に位置し、盤面操作の可否を表示する表示灯を備えることを特徴とする請求項１または２に記載の消火システムの制御装置。
【発明の詳細な説明】
【技術分野】
【０００１】
本発明は、消火システムの制御装置に関するものである。
【背景技術】
【０００２】
従来、消火システムにおける弁の開閉を制御したり各種表示を行う制御盤として、消火システム制御盤（散水制御盤ともいう）がある。この消火システム制御盤が設けられる消火システムについて図５を使用して説明する。
【０００３】
図９は建造物等の防火対象物における消火システムのシステム図である。図９における防火対象物は３つの区画Ａ、Ｂ、Ｃに分けられ、それぞれ火災検出手段としての消火システム専用の火災感知器３と消火手段としての固定式ヘッド４がそれぞれ設置されている。このように防火対象物において前記区画のような消火を行う単位を防護区画と呼ぶ。
【０００４】
固定式ヘッド４は配管に接続されており、その配管の基端側には遠隔操作弁５が設けられ、さらにその一次側には、ポンプや水槽からなる加圧送水装置６が設けられている。また、防火対象物を人が直接監視できる近傍位置には、消火システムを手動で遠隔操作するために、遠隔操作弁５の開閉を制御する機能等を備えた現地操作盤７が設置されている。
【０００５】
また、前記防火対象物には、前記防護区画を包含するように自動火災報知設備用の火災検出手段としての火災感知器１および２が２つ設置されている。火災感知器１および２は、信号線を介して防災センター等の一括管理施設に設けられた火災受信機８に接続されている。なお、火災感知器２は光電式分離型感知器と呼ばれる種類の火災感知器の一種であり、受光部２ａと投光部２ｂに分かれているが、これらは一体的に火災感知器２として前記受光部２ａと前記投光部２ｂの間の火災を監視するものである。
【０００６】
防災センター等の一括管理施設には、消火システム制御盤１０が設けられ、消火システム制御盤１０には、信号線を介して消火システム専用の火災感知器３が接続されている。この消火システム制御盤１０には、信号線を介して、火災受信機８、現地操作盤７およびポンプ制御盤９が接続されている。ポンプ制御盤９は、加圧送水装置６と共に消火ポンプ室に設置されている。なお、この図５は、消火システムの一例であり、火災感知器の個数や区画の数は、防火対象物の大きさによって変更され、また消火手段としては、固定式ヘッド以外に可動式ヘッド等を使用するようにしてもよい。
【０００７】
図９の消火システムに使用される消火システム制御装置には、特許文献１に示すようなものがある。この特許文献１に示される消火システム制御装置の盤面図を図１０に示す。図１０（Ａ）は集中制御盤と呼ばれる消火システム制御盤であり、図１０（Ｂ）は手動操作盤と呼ばれる現地操作盤である。
【０００８】
図１０に示すように、消火システム制御装置の盤面上部には、火災時や放水時に点灯する火災灯や放水中灯が設けられる。また火災灯の下側には、どの区画で放水を行うかを選択する（正確には、どの区画における遠隔操作弁を開放させるかを選択する）スイッチが設けられている。また、盤面の下方には、自動モードで放水するか、手動モードで放水するかを選択する操作部と、放水を停止する停止スイッチが設けられる。
【０００９】
そして、手動操作盤の区画選択用スイッチの下側には、自動モードまたは手動モードのどちらのモードが選択されているかを示す表示灯が設けられる。また、現地操作盤と消火システム制御盤のどちらから手動操作を行うかを決める操作権のスイッチと、その手動操作を行う権限（操作権）がどちらの盤にあるかを示す表示灯が設けられる。
【先行技術文献】
【特許文献】
【００１０】
【特許文献１】特開２０００−３２８号公報
【発明の概要】
【発明が解決しようとする課題】
【００１１】
消火システム制御盤および現地操作盤の盤面には、色々な操作用のスイッチや表示灯が設けられており、盤の操作員が操作しにくいという問題がある。そこで、本発明は、盤面におけるスイッチや表示灯の配置等を工夫して、操作性を向上させることを目的とする。
【課題を解決するための手段】
【００１２】
本発明は、消火手段や火災検出手段等を配設した防護区画を直接監視できる近傍位置に配設された現地操作盤と、防災センター等の一括管理施設に配設された消火システム制御盤とが、火災や消火に関する各種操作部と、火災発生時、消火手段作動時および前記操作部の操作時に点灯または点滅する表示部とを、盤面上に備えた消火システムの制御装置において、自動放水モード又は手動放水モードを選択する放水モード選択部を前記操作部に有する前記消火システム制御盤、または、自動放水モードから手動放水モードへ移行できるように盤面操作を可能とする盤面操作可否選択部を前記操作部に有する前記現地操作盤の少なくともいずれか一方を備え、その操作部を火災発生時から消火手段作動時までの流れに沿って盤面上を略一方向に配置し、前記放水モード選択部または前記盤面操作可否選択部から前記手動放水モードの流れと前記自動放水モードの流れとに分岐する表示を含み、前記手動放水モードの流れは放水区画を選択する区画選択部と放水を開始させる放水開始スイッチとを介して、また、前記自動放水モードの流れは前記区画選択部と前記放水開始スイッチとを介さず、それぞれ放水時に点灯する放水中灯へ至るように、前記操作部同士を操作の順番を示す矢印部で結んで表示することを特徴とする。
また、本発明は、消火手段や火災検出手段等を配設した防護区画を直接監視できる近傍位置に配設された現地操作盤と、防災センター等の一括管理施設に配設された消火システム制御盤とが、火災時に点灯する火災灯と、放水時に点灯する放水中灯と、放水モードを選択するまたは選択された放水モードを表示する放水モード選択部と、放水区画を選択する区画選択部と、放水を停止させる放水停止スイッチとを、盤面上に備えた消火システムの制御装置において、自動放水モード又は手動放水モードを選択する放水モード選択部を有する前記操作部を有する前記消火システム制御盤、または、自動放水モードから手動放水モードへ移行できるように盤面操作を可能とする盤面操作可否選択部を有する前記現地操作盤のいずれかを備え、前記現地操作盤または前記消火システム制御盤は、前記火災灯、前記放水中灯、前記放水モード選択部または前記盤面操作可否選択部、前記区画選択部、前記放水停止スイッチのいずれかの間に、表示または操作の順番を示す矢印部を表示し、該矢印部は、前記放水モード選択部または前記盤面操作可否選択部から、自動放水モードの経路と手動放水モードの経路に分岐して前記放水中灯に至る異なる経路に分岐する矢印部を含むことを特徴とする。
【発明の効果】
【００１３】
本発明によれば、盤面をフローチャートのように表示して、表示または操作の順番を示す矢印で結んだので、視認性が良く、操作の順番が判り易いという効果を奏する。
【図面の簡単な説明】
【００１６】
【図１】実施の形態１に係る消火システム制御盤の正面図である。
【図２】実施の形態１に係る現地操作盤の正面図である。
【図３】実施の形態１に係る消火システム制御盤の盤面拡大図である。
【図４】実施の形態１に係る現地操作盤の盤面拡大図である。
【図５】実施の形態２に係る消火システム制御盤の正面図である。
【図６】実施の形態２に係る現地操作盤の正面図である。
【図７】実施の形態２に係る消火システム制御盤の盤面拡大図である。
【図８】実施の形態２に係る現地操作盤の盤面拡大図である。
【図９】消火システムのシステム図である。
【図１０】従来の消火システム制御装置の盤面図である。
【発明を実施するための形態】
【００１７】
［実施の形態１］
本発明の実施の形態１に係る消火システムの制御装置を図１〜４に基づいて説明する。なお、この消火システムの制御装置は、従来技術で示した図９の消火システムで使用されるものであり、消火システムにおける消火手段としての消火装置や遠隔操作弁を制御すると共に、火災検出手段としての火災感知器が動作したときに、火災灯を点灯する機能などを備えている。
【００１８】
図１〜２は消火システムの制御装置の正面図であり、図１は消火システムの制御装置としての消火システム制御盤１００の正面図、図２は消火システムの制御装置としての現地操作盤２００の正面図である。消火システム制御盤１００および現地操作盤２００は、直方体状の筐体から構成されており、正面（前面）には、各種操作部および各種表示部を備えた盤面１００Ｃおよび２００Ｃとが形成されている。この図１〜２の盤面部分を拡大したものを図３〜４に示す。
【００１９】
図３〜４において、消火システム制御盤１００の盤面１００Ｃは高さ方向において４つの領域に、現地操作盤２００の盤面２００Ｃは高さ方向において３つの領域に、それぞれ分けられている。盤面１００Ｃおよび２００Ｃの最上部には、（１）表示灯領域２０が設けられ、その下側には、（２）放水モード領域３０が設けられ、その下側には（３）放水制御領域４０が設けられる。さらに、消火システム制御盤１００の盤面最下部には、（４）その他操作部領域５０が設けられる。４つの領域２０〜５０には、表示灯領域２０を除いて、火災や放水に関する各種操作部が設けられる。また、表示灯領域２０には、火災時に点灯する表示部としての火災灯２１が設けられ、放水制御領域４０には、放水時に点灯する放水中灯４１が設けられる。各領域２０〜５０にあるスイッチ等で構成される操作部の左側には、ＬＥＤからなる表示部が設けられ、スイッチの操作時に点灯または点滅するように構成されている。
【００２０】
この消火システム制御盤１００の盤面１００Ｃおよび現地操作盤２００の盤面２００Ｃに設けられる各種操作部は、火災発生時から消火手段作動時（消火装置からの放水中）までの流れに沿って、盤面上の上部から下部にわたって略一方向に配置されている。言い換えれば、火災発生時において、操作すべきスイッチ（操作部）から盤面の上部に配置されており、盤面１００Ｃおよび２００Ｃの下側に行くほど、操作処理において、後で操作すればよいスイッチとなっている。
【００２１】
また、表示部についても、同様に、火災発生時から消火手段作動時（消火装置からの放水中）までの流れに沿って盤面上の上部から下部にわたって略一方向に配置されている。言い換えれば、火災発生時において、はじめに点灯する表示部から盤面の上部に配置されており、放水中灯のように火災発生時において、最終的に点灯する表示部は盤面１００Ｃおよび２００Ｃの下側に配置されている。
【００２２】
操作部や表示部が、このように配置されるため、火災時には、操作員は盤面の上部から下部にわたって順々に操作していくことで、確実に消火装置の放水等の操作を行うことが可能となっており、操作性にも視認性にも優れているという効果がある。
【００２３】
各領域２０〜５０に設けられる操作部同士または操作部と表示部同士は、操作の順番を示す矢印部６０で結んで表示されている。矢印部６０は、盤面１００Ｃおよび２００Ｃにおいて、例えば、所定の幅を有した白抜きで表示されるように盤面に印刷したものである。火災時における操作手順は、この矢印部６０の矢印の先端側に向かって、処理をすすめれば良いようになっている。つまり盤面全体が、あたかもフローチャートのような表示形式となっている。
【００２４】
以下に、図３〜４における表示部と操作部の詳細を領域２０〜５０毎に説明する。
（１）表示灯領域２０
表示灯領域２０は、上部のシステム状態表示部と下部の火災発生表示部とから構成される領域である。火災時に点灯する火災灯２１の上部には、交流電源灯や故障時に点灯する故障灯などの表示灯をまとめた各種表示灯２２が設けられる。そして、火災灯２１の下部には、各区画毎の火災状況を示す地区灯２３が設けられる。地区灯２３は、３つの表示灯から構成されており、最上部に区画灯２３Ａ、真ん中に自火報灯２３Ｂ、最下部に消火専用灯２３Ｃが設けられる。この地区灯２３は、区画数に応じて設けられ、図２の場合には、５区画（５回線）に相当するものとなっている。
（２）放水モード領域３０
この領域は、消火システム制御盤１００と現地操作盤２００とでは異なる部分があるので、それぞれについて分けて説明する。
＜消火システム制御盤＞
消火システム制御盤１００の盤面１００Ｃにおいて、放水モード領域３０の上部には、自動放水モードと手動放水モードを選択する放水モード選択部３１が設けられる。放水モードの選択は、専用の鍵（キースイッチ）を使用して行われ、その鍵を回すことで、放水モードを選択できる。放水モード選択部３１の横には、いずれの放水モードであるかを表示する放水モード表示灯３１Ａが設けられる。通常は、自動放水モードに設定されており、火災時には、自動で遠隔操作弁が開放されて消火水が供給され、消火装置から放水を行えるようになっている。
【００２５】
放水モード選択部３１の横には、放水モードの説明書きを記載した領域を介して、音響停止スイッチ３３が設けられる。このように盤面上に説明書きを記載した領域を、対象となる操作部の近傍に設けることで、操作の理解を助けるようにしてある。
そして放水モード選択部３１の下側には、手動放水モードの説明を記載したモード説明領域３４が設けられ、その横であって、音響停止スイッチ３３の下側に自動放水モードの表示が設けられ、図示しない放水開始タイマの表示部３５が設けられる。放水開始タイマ表示部３５は、放水が開始されるまでの残り時間をカウント表示するもので、例えば、１８０秒からカウントダウンし、０秒になったときに、放水を開始する制御を行う。なお、放水開始タイマ表示部３５の近傍には、必要に応じて、「放水開始タイマ」の説明書きを記載した領域を設けるようにしてもよい。
【００２６】
放水モード選択部３１とモード説明領域３４との間には、モード説明領域３４側に向かって下方に矢印が伸びる下向きの第１の矢印部６０Ａが表示される。この第１の矢印部６０Ａは、その後端が、地区灯２３の部分に接しており、地区灯２３からモード説明領域３４まで伸びる矢印となっている。放水モード選択部３１と放水開始タイマ表示部３５との間には、放水開始タイマ表示部３５側に向かって下方に矢印が伸びる下向きの第２の矢印部６０Ｂが表示される。この第２の矢印部６０Ｂは、放水モード選択部３１の下方で、第１の矢印部６０Ａと分岐している。このように、放水モード領域３０においては、操作手順（操作の順番）を示すために、矢印部としての第１の矢印部６０Ａと、第２の矢印部６０Ｂとが盤面上に表示されている。
＜現地操作盤＞
一方、現地操作盤２００の盤面２００Ｃにおいては、放水モード領域３０の上部には、盤面操作を行うか否かの選択部３２が設けられる。盤面操作は火災発生時には自動的に操作可能が選択される他、前記選択部３２の側方に位置する盤面操作不可灯３２Ａが消灯しているときに限り、専用の鍵（キースイッチ）を使用し、その鍵を回すことで盤面操作を可能とすることができる。通常は、盤面操作不可に設定されており、火災時には、自動で遠隔操作弁５が開放されて消火水が供給され、消火手段としての消火装置から放水を行えるようになっている。
【００２７】
盤面操作可否選択部３２の横には、盤面操作の説明書きが記載される。このように盤面上に説明書きを記載した領域を、対象となる操作部の近傍に設けることで、操作の理解を助けるようにしてある。
そして盤面操作可否選択部３２の下側には、手動放水モードの説明を記載したモード説明領域３４と、自動放水モードの表示とが、横方向に設けられ、放水開始タイマの作動を表示する表示部３５が設けられる。放水開始タイマ表示部３５は、放水が開始されるまでの残り時間の間に点滅表示するもので、これが点灯に変わって放水を開始するまでの間に、タイマ停止スイッチ３５Ｂを操作すると、放水開始タイマは停止し、手動放水モードへと切り替わる。なお、タイマ停止スイッチ３５Ｂの近傍には、必要に応じて、「放水開始タイマ」の説明書きを記載した領域を設けるようにしてもよい。
【００２８】
盤面操作可否選択部３２とモード説明領域３４との間には、モード説明領域３４側に向かって下方に矢印が伸びる下向きの第１の矢印部６０Ａが表示される。この第１の矢印部６０Ａは、その後端が、地区灯２３の部分に接しており、地区灯２３からモード説明領域３４まで伸びる矢印となっている。盤面操作可否選択部３２と放水開始タイマ表示部３５との間には、放水開始タイマ表示部３５側に向かって下方に矢印が伸びる下向きの第２の矢印部６０Ｂが表示される。この第２の矢印部６０Ｂは、盤面操作可否選択部３２の下方で、第１の矢印部６０Ａと分岐している。このように、放水モード領域３０においては、操作手順（操作の順番）を示すために、矢印部としての第１の矢印部６０Ａと、第２の矢印部６０Ｂとが盤面上に表示されている。
（３）放水制御領域４０
放水制御領域４０には、放水時に点灯して放水中であることを示す放水中灯４１が設けられる。放水中灯４１は、横長の矩形領域で形成され、火災灯２１と同等以上の長さであり、視認性をよくしてある。放水中灯４１の上方には、放水を開始させる放水開始スイッチ４２が設けられ、また放水中灯４１の下方には、放水を停止させる放水停止スイッチ４３が設けられる。
【００２９】
放水開始スイッチ４２の上方には、放水区画を選択する区画選択部４４が設けられる。本実施例では、区画数が５つのため、区画選択部４４は、５つの放水区画選択スイッチから構成されている。この放水区画選択スイッチを操作することで、放水制御する権限である操作権を取得でき、スイッチの操作を行った制御装置側に操作権があることを示す表示灯４５Ａ、４５Ｂ、４５Ｃのいずれか１つが点灯する。逆に他方の制御装置側で放水区画選択スイッチの操作があれば、他方の制御装置側に操作権があることを示す表示灯４５Ａ、４５Ｂ、４５Ｃのいずれか１つを点灯させる。
【００３０】
モード説明領域３４と区画選択部４４との間には、区画選択部４４側に向かって垂直方向に矢印が伸びる下向きの第３の矢印部６０Ｃが表示される。また、区画選択部４４と放水開始スイッチ４２との間には、放水開始スイッチ４２側に向かって垂直方向に矢印が伸びる下向きの第４の矢印部６０Ｄが表示される。また、放水開始スイッチ４２と放水中灯４１との間には、放水中灯４１側に向かって垂直方向に矢印が伸びる下向きの第５の矢印部６０Ｅが表示される。また、放水開始タイマ表示部３５と放水中灯４１との間には、放水中灯４１側に向かって垂直方向に矢印が伸びる下向きの第６の矢印部６０Ｆが表示される。そして、放水中灯４１と放水停止スイッチ４３との間には、垂直方向に放水停止スイッチ４３側に向かって矢印が伸びる下向きの第７の矢印部６０Ｇが表示される。
【００３１】
このように操作手順（操作の順番）を示すために、矢印部６０は、７つの矢印部６０Ａ〜６０Ｇによって構成されているが、必ずしも全ての矢印部が必要というわけではない。いずれか一部分だけに矢印部を設けるようにしたものであってもよい。
【００３２】
（４）その他操作部領域５０（保守操作部領域）
その他操作部領域５０には、消火システム制御盤１００の盤面１００Ｃにおいては、遮断用スイッチ５１、試験用スイッチ５２、復旧スイッチ５３、保安用電話ジャック５４が、現地操作盤２００の盤面２００Ｃにおいては保安用電話ジャック５４だけが、それぞれ設けられる。図示はしないが、放水停止スイッチ４３と復旧スイッチ５３との間に矢印部を表示するようにしてもよい。
【００３３】
次に、この消火システム制御盤１００および現地操作盤２００における火災時の放水処理の操作手順について説明する。
【００３４】
消火システムが防護する防火対象物において火災が発生すると、まず火災検出手段としての自火報用の火災感知器１または２が火災を検知して、火災信号を火災受信機８に出力する。火災受信機８は、この火災信号を消火システム制御盤１００に移報する。消火システム制御盤１００で、前記火災信号を受信すると、火災が発生した区画における自火報灯２３Ｂを点灯するとともに、現地操作盤２００に対して信号を送出し、火災が発生した区画における自火報灯２３Ｂを点灯させる。
【００３５】
続いて、火災検出手段としての消火システム専用の火災感知器３が動作（火災発報）すると、火災が発生した区画における消火専用灯２３Ｃを点灯するとともに、現地操作盤２００に対して信号を送出し、火災が発生した区画における消火専用灯２３Ｃを点灯させる。消火システム制御盤１００では、同じ区画にある自火報用の火災感知器１または２と消火システム専用の火災感知器３が発報すると、火災が発生したものと断定し、区画灯２３Ａと火災灯２１を点灯させるとともに、現地操作盤２００に対して信号を送出し、消火システム制御盤１００と同じ区画の区画灯２３Ａと火災灯２１とを点灯させる。防災センタまたは現地の操作員は、区画灯２３Ａと火災灯２１の点灯により、防火対象物のどの防護区画で火災が発生したかを認識する。この際、消火システム制御盤１００は音響装置で火災警報し、音響停止スイッチ３３を押すことで、火災警報の音響を停止することができる。なお、この後、引き続き別の区画でも火災が発生した場合には、消火システム制御盤１００および現地操作盤２００の該当する区画の区画灯２３Ａが点滅表示となって、どの区画で第２報が発生したかがわかるようになっている。
【００３６】
区画灯２３Ａの点灯に伴い、矢印部６０Ａを見ることで、次の操作として、放水モードを操作すればいいことが理解できる。消火システム制御盤１００が自動放水モードに設定されている場合、火災が発生したことが断定されると、図示しない放水開始タイマが１８０秒の状態からカウントダウンを開始し、消火システム制御盤１００においては残り時間を、現地操作盤２００においてはカウントダウンを行っていることを点滅によって、それぞれ放水タイマ表示部３５に表示する。このとき、消火システム制御盤１００の放水モード選択部３１にある放水モード表示灯３１Ａの「自動放水」の部分が点灯し、現地操作盤２００の盤面操作可否選択部３２は自動的に盤面操作可能となり、盤面操作可能灯３２Ｂが点灯する。
【００３７】
ここで、矢印部６０Ａ、矢印部６０Ｂおよび矢印部６０Ｃの矢印側を見ることで、モード説明領域３４の内容を読んで、手動放水モードを選択するかを検討でき、また放水開始タイマ表示部３５でカウントダウンがはじまったことを認識することができる。
放水開始タイマのカウントダウン中は「放水開始タイマ作動中」灯３５Ａが点滅する。放水開始タイマのカウントダウンが進み、カウント値が０になると、消火手段としての消火装置から自動的に放水を開始する。
放水開始タイマのカウントダウン中に、直ちに放水を行いたい場合には、消火システム制御盤１００では放水モード選択部３１を手動放水モードに切り換え、現地操作盤２００においてはタイマ停止スイッチ３５Ｂを操作する。この操作により、放水開始タイマは停止するので、区画選択部４４を操作して放水したい区画を選択し、放水開始スイッチ４２を押す。この操作により、対象となる区画に放水をすることが可能となる。このとき、区画選択部４４の操作により、操作されたスイッチの所の表示灯（放水区画選択灯）が点滅する。
自動放水モードの場合においては、放水開始タイマのカウント値が０になると、自動的に選択されて対象となっている区画の遠隔操作弁５が開放するとともに、ポンプ制御盤９を介して加圧送水装置６が起動され、その結果、火災が発生した防護区画において放水が行われ火災を消火する。この遠隔操作弁５の開放制御が行われると、放水中灯４１が点灯する。防災センタの操作員は、消火システム制御盤１００の放水開始タイマ表示部３５の値が０になったとき、矢印部６０Ｆの先端に案内されて、放水中灯４１を見るので、放水が行われていることを認識できる。なお、手動放水モードの場合には、矢印部６０Ｄ、６０Ｅに案内されて、放水中灯４１の点灯を認識することが可能となる。
【００３８】
火災が完全に消火されたことを確認したら、矢印部６０Ｆの先端にある放水停止スイッチ４３を操作して、遠隔操作弁５を閉止制御して、消火水の供給を停止する。消火水の供給が停止すると、放水中灯４３は消灯する。また復旧スイッチ５３を押すことで、火災灯２１、区画灯２３Ａ、消火専用灯２３Ｃも消灯される。自火報灯２３Ｂについては、火災受信機８から出力がなくなったときに消灯する。
このように、本発明によれば、消火システム制御盤１００および現地操作盤２００の盤面上に設けられる操作部や表示部は、火災発生時から消火手段作動時（消火装置からの放水中）までの流れに沿って、操作の順番に従うように、上部から下部にわたって略一方向に配置されているので、視認性が良い。また、操作部や表示部の間には、操作の順番を示す矢印部がフローチャートのように表示されているので、どの順番で操作部を操作していいのかがわかりやすく、操作性が向上する。
本発明は以上説明した通りであるが、以下のようにすることも可能である。
（１）矢印部は、単なる白抜きの印刷表示としたが、矢印部の輪郭内にＬＥＤなどの発光体を設けたり、矢印部を面発光体で形成したり背面に照光するための発光体を設けたりして、次に操作する操作部への流れを示す矢印部だけを点滅または点灯するようにして、操作の案内機能を高めるようにしてもよい。
（２）操作スイッチの横にあるＬＥＤは、点滅周期を変えて点滅表示させるようにしてもよい。例えば、放水区画の選択スイッチの横にあるＬＥＤを、放水開始タイマのカウントダウン中（放水予告中）には２Hzで点滅させ、放水制御中に１Hzで点滅させ、放水中に点灯させるようにしてもよい。このようにすることで、操作に対する状況が認識しやすくなる。
また、火災発生を示す区画灯を、第１報目の区画は点灯させ、第２報目の区画は２Hzで点滅させ、第３報目の区画は１Hzで点滅させるようにしてもよい。このようにすると、火災が複数の箇所で発生した場合に、火災が発生した順番を認識することが可能となる。
【００３９】
［実施の形態２］
本発明の実施の形態２に係る消火システムの制御装置を図５〜８に基づいて説明する。
実施の形態２は、実施の形態１における盤面配置を一部変更したものであり、図５〜８において実施の形態１と同一の部分には同一の符号を付し、その説明を省略する。実施の形態２が実施の形態１と異なる点は、実施の形態１の盤面の配置方向が上方から下方への略一方向であったのに対し、実施の形態２の盤面の配置方向が上方からやや右方に寄った下方への略一方向となったことである。すなわち、矢印６０Ｂおよび６０Ｅのみが、放水タイマ表示部３５または放水中灯４１に向かって水平方向の矢印が伸びる右向きの矢印になる。
【００４０】
このような盤面とすることにより、盤面の構成要素を完全に上方から下方へと配置することなく、やや右方向にずらしながら、限られた盤面面積を効率的に利用し、小型化をはかることができる。このようにしながらも、盤面の表示部や操作部の方向は上方から右下方へと略一方向であるので、視認性や操作性が悪くなることはない。
【符号の説明】
【００４１】
２０  表示灯領域、３０  放水モード領域、４０  放水制御領域、
５０  その他操作部領域、
１０、１００、３００  消火システム制御盤、２００、４００  現地操作盤、
１００Ｃ、３００Ｃ  消火システム制御盤の盤面、
２００Ｃ、４００Ｃ  現地操作盤の盤面
【図１】
0005702979.tif 000002
【図２】
0005702979.tif 000003
【図３】
0005702979.tif 000004
【図４】
0005702979.tif 000005
【図５】
0005702979.tif 000006
【図６】
0005702979.tif 000007
【図７】
0005702979.tif 000008
【図８】
0005702979.tif 000009
【図９】
0005702979.tif 000010
【図１０】
0005702979.tif 000011